(57)【要約】【課題】金型の開閉方向が水平方向に設定された横型成形において、金型内に配置されたインサート品の位置ずれを抑制できる射出成形装置を提供する。【解決手段】射出成形装置１０の金型は、水平方向に凹んだ凹部５１１が形成された固定型５１と、凹部５１１に嵌まる凸部が形成されて水平方向に移動可能な可動型とを有する。凹部５１１の底面５１１ａは重力方向に対して若干斜めに設けられる。凹部５１１の下面５１１ｂは、水平方向に対して若干斜めに設けられる。型開きした状態で凹部５１１に、インサート品としての車両用レーダーのカバー（レドーム）の板状レンズ部２が配置される。このとき、レンズ部２の表面２１を凹部５１１の底面５１１ａに接触させる。また、保持ピン６を突出させて、レンズ部２の下端２２を保持ピン６で保持させる。その後、型締めされて、金型内に樹脂が射出され、その射出途中で保持ピン６を後退させる。【選択図】図４
2019014068.tif 000002
【特許請求の範囲】
【請求項１】
水平方向に凹んだ凹部が形成された第１型と、前記凹部に嵌まる凸部が形成された第２型とを有し、前記凹部と前記凸部との間で成形が行われるキャビティを形成するとともに、前記第１型と前記第２型との開閉方向が水平方向に設定された金型を備え、
前記凹部の底面に接触するように前記凹部にインサート品を配置した後、前記キャビティ内に樹脂を射出させることで、前記インサート品と、射出した樹脂との一体品を成形する射出成形装置であって、
前記凹部に前記インサート品を配置した際に、前記インサート品の重力方向の下端を保持する保持部と、
前記保持部を、前記キャビティ内への樹脂の射出途中で後退させる制御部とを備えることを特徴とする射出成形装置。
【請求項２】
前記凹部の底面は、下側にいくにつれて前記凹部の開口側の方向に向かうように重力方向に対して斜めに設けられることを特徴とする請求項１に記載の射出成形装置。
【請求項３】
前記インサート品は、板状であり、その板表面が前記凹部の底面に接触するように前記凹部に配置され、
前記保持部は、前記インサート品の板表面の外周辺のうちの下辺を保持することを特徴とする請求項１又は２に記載の射出成形装置。
【請求項４】
前記保持部はピン形状であり、ピンの側面で前記インサート品を保持することを特徴とする請求項１〜３のいずれか１項に記載の射出成形装置。
【請求項５】
前記一体品は、車両の前面又は後面に、加飾部としての前記インサート品が露出するように取り付けられる部品であることを特徴とする請求項１〜４のいずれか１項に記載の射出成形装置。
【請求項６】
前記一体品は、車両用レーダーのカバーであることを特徴とする請求項１〜５のいずれか１項に記載の射出成形装置。
【請求項７】
前記一体品は、前記インサート品が前面に配置され、前記インサート品の背後に、射出した樹脂により形成された射出成形部分を有したことを特徴とする請求項５又は６に記載の射出成形装置。
【請求項８】
前記射出成形部分は、前記インサート品の背面全体に接触した背面部と、その背面部の外周から後方に延設された側壁部とを有し、前記背面部と前記側壁部とで囲まれた空間を形成することを特徴とする請求項７に記載の射出成形装置。
【請求項９】
前記キャビティ内への樹脂の射出入口が前記背面部の位置に設定されたことを特徴とする請求項８に記載の射出成形装置。
【請求項１０】
前記キャビティ内への樹脂の射出入口が前記射出成形部分のサイド位置に設定されたことを特徴とする請求項８に記載の射出成形装置。
【請求項１１】
請求項１〜１０のいずれか１項に記載の射出成形装置を用いて前記一体品を製造することを特徴とするインサート成形品の製造方法。
【発明の詳細な説明】
【技術分野】
【０００１】
本発明は、インサート成形を行う射出成形装置及びインサート成形品の製造方法に関する。
【背景技術】
【０００２】
下記特許文献１には、インサート成形に関し、金型内に配置したインサート品を保持ピンで保持し、インサート成形品に保持ピンの穴が残らないようにするため、射出途中で保持ピンを後退させることが開示されている。
【先行技術文献】
【特許文献】
【０００３】
【特許文献１】特開平１１−２０７７４９号公報
【発明の概要】
【発明が解決しようとする課題】
【０００４】
ところで、金型の開閉方向が水平方向（重力方向に直角な方向）に設定された横型成形において、金型内の所定位置に配置されたインサート品が、樹脂の射出前に所定位置からずれてしまうことがある。この点、特許文献１の技術は、金型の開閉方向が重力方向に平行な方向に設定された縦型成形に関する技術であるので、この技術を横型成形にそのまま適用することはできない。
【０００５】
本発明は上記問題に鑑みてなされたものであり、横型成形において、金型内に配置されたインサート品の位置ずれを抑制できる射出成形装置、及びインサート成形品の製造方法を提供することを課題とする。
【課題を解決するための手段】
【０００６】
上記課題を解決するため、本発明の射出成形装置は、
水平方向に凹んだ凹部が形成された第１型と、前記凹部に嵌まる凸部が形成された第２型とを有し、前記凹部と前記凸部との間で成形が行われるキャビティを形成するとともに、前記第１型と前記第２型との開閉方向が水平方向に設定された金型を備え、
前記凹部の底面に接触するように前記凹部にインサート品を配置した後、前記キャビティ内に樹脂を射出させることで、前記インサート品と、射出した樹脂との一体品を成形する射出成形装置であって、
前記凹部に前記インサート品を配置した際に、前記インサート品の重力方向の下端を保持する保持部と、
前記保持部を、前記キャビティ内への樹脂の射出途中で後退させる制御部とを備えることを特徴とする。
【０００７】
本発明によれば、金型（第１型）の凹部に配置されたインサート品の下端が保持部で保持されるので、樹脂の射出前にインサート品が凹部から脱落する等、所定位置からずれてしまうのを抑制できる。また、保持部は射出途中で後退するので、インサート成形品に、保持部による穴があいてしまうのを抑制できる。また、保持部が後退した後は、射出途中の樹脂によって、インサート品が所定位置からずれてしまうのを抑制できる。
【０００８】
本発明において、前記凹部の底面は、下側にいくにつれて前記凹部の開口側の方向に向かうように重力方向に対して斜めに設けられるとすることができる。これによって、インサート品を重力方向に対して若干寝かせた状態で配置させることができ、凹部内でインサート品が倒れてしまうのを抑制できる。また、凹部の底面が、重力方向に対して斜めに設けられると、その斜めの底面に沿ってインサート品の位置ずれが起こる場合があるが、本発明のように、インサート品の下端を保持部で保持し、この保持を射出途中で解除することで、インサート品の位置ずれを抑えつつ、成形品に保持部の穴があいてしまうのを抑制できる。
【０００９】
また、本発明において、前記インサート品は、板状であり、その板表面が前記凹部の底面に接触するように前記凹部に配置され、
前記保持部は、前記インサート品の板表面の外周辺のうちの下辺を保持することができる。
【００１０】
このように、板状のインサート品を凹部内に立てて配置させる場合には、インサート品の位置ずれが起こりやすいが、本発明のように、板状インサート品の下辺を保持部で保持し、この保持を射出途中で解除することで、インサート品の位置ずれを抑えつつ、成形品に保持部の穴があいてしまうのを抑制できる。
【００１１】
また、本発明において、前記保持部はピン形状であり、ピンの側面で前記インサート品を保持することができる。このように保持部をピン形状とすることで、成形品に保持部の痕が残ったとしても、その痕を目立たなくできる。また、ピンの側面でインサート品を保持することで、その保持を安定させることができる。
【００１２】
また、本発明において、前記一体品は、車両の前面又は後面に、加飾部としての前記インサート品が露出するように取り付けられる部品とすることができる。また、前記一体品は車両用レーダーのカバーとすることができる。この場合、前記一体品は、前記インサート品が前面に配置され、前記インサート品の背後に、射出した樹脂により形成された射出成形部分を有する。この射出成形部分は、前記インサート品の背面全体に接触した背面部と、その背面部の外周から後方に延設された側壁部とを有し、前記背面部と前記側壁部とで囲まれた空間を形成する。このように、車両の前面又は後面に取り付けられる部品（例えば車両用レーダーのカバー）に本発明を適用すると好適である。
【００１３】
また、本発明において、前記キャビティ内への樹脂の射出入口が前記背面部の位置に設定されたとすることできる。これによれば、射出途中でインサート品の保持を解除したときに、そのインサート品の背面に接触するように射出樹脂が流れていることで、この射出樹脂による圧力でインサート品の位置ずれを抑制できる。
【００１４】
また、本発明において、前記キャビティ内への樹脂の射出入口が前記射出成形部分のサイド位置に設定されたとしても良い。
【００１５】
本発明のインサート成形品の製造方法は、本発明の射出成形装置を用いて前記一体品を製造することを特徴とする。これによって、一体品の製造の際に、インサート品の位置ずれを抑制できる。
【図面の簡単な説明】
【００１６】
【図１】車両の正面図である。
【図２】レドームの斜視図である。
【図３】図２のＩＩＩ−ＩＩＩ線でレドームを切ったときの断面図である。
【図４】型開き状態の射出成形装置の断面図であって、固定型の凹部内にインサート品が配置され、そのインサート品の下端が保持ピンで保持された状態を示した図である。
【図５】型締め状態の射出成形装置の断面図であって、射出途中に保持ピンを後退した後の状態を示した図である。
【発明を実施するための形態】
【００１７】
以下、本発明の実施形態を図面を参照しながら説明する。図１に示す車両１００には、レーダー装置４（図２、図３参照）が搭載されている。このレーダー装置４は、車両１００の前方に、例えばミリ波を送信し、送信したミリ波に対する反射波を受信することで車両１００の前方の走行車両、障害物等を検出する装置である。
【００１８】
レーダー装置４は、車両１００のフロントグリル１０１の中央位置において、カバーとしてのレドーム１に前面側が覆われるように設けられる。レドーム１は、レーダー装置４を覆って保護するための部品であって、図２、図３に示すように、フロントグリル１０１の中央に露出するように設けられるレンズ部２と、そのレンズ部２の背後に設けられフロントグリル１０１の裏側に隠れるように設けられるベース部材３とを備えている。
【００１９】
レンズ部２は、レドーム１の最前面に位置する部材であって、正面視で略四角形の板状に形成されている。そして、レンズ部２は、一方の板表面が前方に露出し、他方の板表面である背面がベース部材３の背面部３１（図３参照）に支持され、レンズ部２の外周辺を構成する４辺のうち対向する位置関係にある２辺が車両左右方向に延び、残りの２辺が車両上下方向に延びるように、設けられる。
【００２０】
また、レンズ部２は、レーダー装置４が送受信する信号（ミリ波）を透過可能な材料、具体的には例えばポリカーボネート等の透明樹脂で形成されている。また、レンズ部２を構成する透明樹脂部には、車両１００のエンブレム等の加飾部が例えば蒸着により形成されている。加飾部も、レーダー装置４が送受信する信号（ミリ波）が透過可能な材料にて形成されている。
【００２１】
ベース部材３は、レンズ部２の背後においてレンズ部２と一体に形成されている。ベース部材３は、レンズ部２とは異なる材料で形成されており、具体的には例えばＡＥＳ（アクリロニトリル・エチレン-プロピレン-ジエン・スチレン）樹脂等の不透明樹脂で形成されている。なお、ベース部材３も、レーダー装置４が送受信する信号（ミリ波）が透過可能な材料で形成されている。
【００２２】
ベース部材３は、図３に示すように、レンズ部２の背面全体に接触するように設けられる板状の背面部３１と、その背面部３１の外周から、レーダー装置４が位置する後方に延設された側壁部３２とを有する。背面部３１は、レンズ部２の形状に合わせて、略四角形の板状に形成される。背面部３１の一方の板表面はレンズ部２の背面に接合され、他方の板表面は、背面部３１と側壁部３２とで囲まれた空間２０に面している。
【００２３】
側壁部３２は、背面部３１の上端に接続された上壁部と、背面部３１の左端に接続された左壁部と、背面部３１の右端に接続された右壁部と、背面部３１の下端に接続された下壁部とを有する。これら上下左右の各側壁部のうち隣り合う側壁部同士が端部で接続されている。これにより、前側が背面部３１で覆われ、かつ上下左右が側壁部３２で覆われ、かつ後ろ側が開いた空間２０を形成している。この空間２０にレーダー装置４が配置されている。なお、レンズ部２が本発明のインサート品に相当し、ベース部材３が本発明の射出成形部分に相当する。
【００２４】
レドーム１は、レンズ部２をインサート品としたインサート成形により製造されている。以下、このインサート成形を行う射出成形装置の構成について説明する。
【００２５】
図４、図５に、レドーム１をインサート成形するための射出成形装置１０の断面図を示している。なお、図４、図５では、インサート品としてのレンズ部２が金型５内にセットされた状態を示している。
【００２６】
射出成形装置１０は、金型が水平方向に開閉する横型の射出成形装置として構成されている。詳しくは、射出成形装置１０は、図５に示すように、水平方向に開閉する金型５を備えている。金型５は、型締め、型開きの際に位置が変化しない固定型５１と、位置が変化する可動型５２と有する。固定型５１には、図４に示すように、水平方向に凹んだ凹部５１１が形成されている。凹部５１１は、成形の際に、レンズ部２が配置される底面５１１ａを有する。その底面５１１ａは、下側にいくにつれて凹部５１１の開口側の方向に向かうように、重力方向に向いた線２０１に対して若干傾斜した角度に設けられている。
【００２７】
また、凹部５１１は、底面５１１ａの下端に繋がる壁面である下面５１１ｂを有する。この下面５１１ｂは、凹部５１１の開口に近づくほど下方に位置するように、水平方向に向いた線２０２に対して若干傾斜した角度に設けられている。
【００２８】
一方、可動型５２には、図５に示すように、型締めの際に凹部５１１に嵌まる凸部５２１が形成されている。型締めしたときに凹部５１１、凸部５２１の間にキャビティ５３が形成される。このキャビティ５３は、図２、図３に示すレドーム１の形状に形成されている。なお、固定型５１が本発明の第１型に相当し、可動型５２が本発明の第２型に相当する。
【００２９】
また、射出成形装置１０は、成形の際に凹部５１１に配置されたレンズ部２を保持するための保持ピン６を備えている。保持ピン６は、凹部５１１の底面５１１ａと下面５１１ｂとの境界位置において軸方向に移動可能に設けられている。詳しくは、保持ピン６の先端が、凹部５１１の壁面から突出した突出位置と、凹部５１１の壁面と同一面位置に後退した後退位置との間で移動可能となっている。保持ピン６の個数は何個でも良いが、例えば２個とすることができる。保持ピン６を複数設ける場合には、複数の保持ピン６は、凹部５１１の底面５１１ａと下面５１１ｂとの境界線に沿って（図４の紙面に直角な方向に沿って）配置される。なお、保持ピン６が本発明の保持部に相当する。
【００３０】
射出成形装置１０は、保持ピン６を上記突出位置と後退位置との間で駆動する駆動部７を備えている。この駆動部７は、例えばシリンダーと、そのシリンダー内に配置されたピストンとを備えて、油圧によりピストンを作動させる油圧駆動部として構成される。この場合、ピストンの先端は、保持ピン６の根元に接続される。
【００３１】
また、射出成形装置１０は、駆動部７を制御する制御部８を備えている。制御部８は、例えば、駆動部７のピストンに作用させる油圧を制御することで、シリンダー内におけるピストンの位置を制御し、ひいては保持ピン６の突出量を制御するように構成されている。なお、駆動部７及び制御部８が本発明の制御部に相当する。
【００３２】
また、射出成形装置１０は、キャビティ５３内への樹脂の射出入口となるゲート５４（図５参照）を備えている。ゲート５４は、可動型５２の凸部５２１の先端面の位置に設けられている。言い換えると、ゲート５４は、凹部５１１に配置されたレンズ部２の背面（凹部５１１の底面５１１ａに接触しないほうのレンズ部２の板表面）に対峙する位置に設けられている。図５では、ゲート５４が、凸部５２１の、上下方向（重力方向に平行な方向）におけるほぼ中間位置に設けられた例を示している。ゲート５４は、例えばピンゲートとされ、ゲート５４の延設方向が可動型５２の移動方向（つまり水平方向）に設定されている。また、ゲート５４の個数は１個でも良いし、複数個でも良い。ゲート５４を複数設ける場合には、複数のゲート５４は、例えば、図５の紙面に直角な方向に沿って配置される。
【００３３】
次に、射出成形装置１０を用いてレドーム１の成形（製造）する方法を説明する。先ず、レンズ部２を準備する。レンズ部２の製造方法はどのような方法でも良いが、例えば射出成形によりレンズ部２の形状を有した透明樹脂体を形成した後、その透明樹脂体に、蒸着等によりエンブレム等の加飾部を形成することで、レンズ部２を得る。
【００３４】
次に、図４に示すように、金型５が開いた状態で、固定型５１の凹部５１１にレンズ部２を配置する。このとき、レンズ部２の表面２１が凹部５１１の底面５１１ａに接触するように、レンズ部２を凹部５１１に配置する。つまり、レンズ部２は、表面２１が凹部５１１の底面５１１ａに支持されるように、凹部５１１内に立てるように配置される。なお、凹部５１１にレンズ部２を配置したときのレンズ部２の下端に位置する外周辺２２は、図２に示すレドーム１の使用状態におけるレンズ部２の４つの外周辺２ａ〜２ｄのうちの予め定められた外周辺（例えば下辺２ａ）である。
【００３５】
また、制御部８は、駆動部７を制御して、凹部５１１にレンズ部２を配置させる前から予め保持ピン６を突出させておく。そして、凹部５１１にレンズ部２を配置したときに、レンズ部２の下端２２の一部を、保持ピン６の先端側の側面に接触させることで、レンズ部２が凹部５１１内の所定位置からずれないようにする。
【００３６】
なお、本実施形態では、凹部５１１へのレンズ部２の配置は作業者が行うが、ロボットにより自動で行っても良い。
【００３７】
その後、可動型５２を水平方向に固定型５１の方に移動させて、金型５の型締めを行う。このとき、保持ピン６は突出させたままとする。
【００３８】
その後、ゲート５４から、ベース部材３（図２、図３参照）を成形するための溶融樹脂をキャビティ５３内に射出させることで、ベース部材３を成形する。上記したように、ゲート５４は、レンズ部２の背面に対峙した位置に設けられるので、ゲート５４から射出した溶融樹脂は、レンズ部２の背面と、可動型５２の凸部５２１の先端面との間の隙間（つまり、ベース部材３の背面部３１を成形するための隙間）を流れた後、凹部５１１の上下壁面と凸部５２１の上下壁面との間の隙間（つまり、ベース部材３の側壁部３２を成形するための隙間）を流れる。
【００３９】
このとき、制御部８は、駆動部７を制御して、溶融樹脂の射出途中となる予め定められたタイミングで、保持ピン６を、レンズ部２の下端２２に接触した位置（突出位置）から、凹部５１１の壁面と同一面位置であってレンズ部２の下端２２に接触しない位置（後退位置）に後退させる。保持ピン６を後退させるタイミングは、（１）射出した溶融樹脂によってレンズ部２の保持が可能であり、かつ、（２）保持ピン６の動作によってＡｉｒ巻き込み等の不良が出ず、かつ、（３）保持ピン６の突出時に保持ピン６の先端側が位置していた空間に溶融樹脂を流し込んで保持ピン６に基づく穴が形成されないタイミングに設定される。このタイミングは、上記（１）〜（３）等を考慮して適宜に定められており、例えば、溶融樹脂が保持ピン６で保持された位置に到達する前のタイミングに定められる。制御部８は、射出開始からの経過時間を計測しており、その経過時間が上記タイミングになった時に、駆動部７を制御して、保持ピン６を後退させる。
【００４０】
溶融樹脂の射出を終了した後、射出した樹脂を冷却して固化させる。その後、可動型５２を水平方向に固定型５１から離れる方向に移動させることで、金型５の型開きを行い、金型５から、成形品（レドーム１）を取り出す。
【００４１】
以上、本実施形態によれば、保持ピン６により、射出途中まで、レンズ部２の下端２２が金型５内で保持されるので、射出前又は射出途中でレンズ部２が所定位置からずれてしまうのを抑制できる。保持ピン６は射出途中で後退するので、成形品であるレドーム１に保持ピン６の穴があいてしまうのを抑制できる。
【００４２】
また、保持ピン６の先端側の側面でレンズ部２が保持されるので、保持ピン６の先端で保持する場合に比べて、保持ピン６の保持を安定させることができる。また、保持ピン６はピン形状（針状）であるので、保持ピン６とレンズ部２との接触範囲を小さくでき、成形品（レドーム１）に保持ピン６の痕が残ったとしても目立たなくすることができる。
【００４３】
また、凹部５１１の底面５１１ａは重力方向に対して若干傾いて設けられ、この傾いた底面５１１ａにレンズ部２の表面２１が支持されるので、凹部５１１に配置されたレンズ部２の上端側が、凹部５１１の開口側に倒れてしまうのを抑制できる。
【００４４】
また、ゲート５４は、レドーム１の背面部３１の位置に設定されているので、上記（１）〜（３）を満たす、保持ピン６の後退タイミングを設定しやすくできる。
【００４５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであったとしても本発明の技術的範囲に包含される。例えば、上記実施形態では、凹部が形成された型を固定型、凸部が形成された型を可動型としていたが、凹部が形成された型を可動型、凸部が形成された型を固定型とした金型を用いても良い。
【００４６】
また、上記実施形態では、金型内でインサート品（レンズ部２）を保持する保持部として保持ピンを採用した例を説明したが、ピン形状以外の形状の保持部を採用しても良い。
【００４７】
また、上記実施形態では、車両前方監視用のレーダー装置のカバーに本発明を適用した例を示したが、車両後方監視用のレーダー装置のカバーに本発明を適用しても良い。この場合、カバーとしてのレドームは、車両の後面において、レンズ部が露出するように取り付けられる。
【００４８】
また、上記実施形態では、車両用レーダーのカバーに本発明を適用した例を示したが、車両用レーダーのカバーではないが、車両の前面又は後面に取り付けられるエンブレム等の加飾が施されたアクセサリに本発明を適用しても良い。この場合、アクセサリは、図１、図２のレドーム１と同様の形状、又はそのレドーム１に対して側壁部３２が無い形状に形成される。
【００４９】
また、上記実施形態では、レドーム１のベース部材３として背面部３１及び側壁部３２を有した形状を示したが、側壁部３２が無い形状のレドームに本発明を適用しても良い。また、上記実施形態では、正面視で略四角形のレンズ部を例示したが、レンズ部は四角形以外の形状（例えば楕円形）であっても良い。
【００５０】
また、上記実施形態では、背面部３１の位置にゲート５４を設定した例を示したが、製品（レドーム）の側方（サイド位置）（例えば図３の符号５５の位置や符号５６の位置や符号５７の位置）から樹脂を射出するゲート（サイドゲート、サブマリンゲートなど）が設定された金型を用いても良い。側壁部３２を有しないレドーム形状の場合には、符号５５の位置にゲートを設定しても良い。ゲートを製品のサイド位置に設定する場合も、射出途中で保持ピンを後退させるタイミングは、「射出した溶融樹脂によってレンズ部の保持が可能であること」等を考慮して適宜に設定すれば良い。
【符号の説明】
【００５１】
１  レドーム、２  レンズ部、３  ベース部材、３１  背面部、３２  側壁部、４  レーダー装置、５  金型、５１  固定型、５１１  固定型の凹部、５１１ａ  凹部の底面、５１１ｂ  凹部の下面、５２１  可動型の凸部、５２  可動型、５３  キャビティ、５４  ゲート、６  保持ピン、７  駆動部、８  制御部、１０  射出成形装置
【図１】
2019014068.tif 000003
【図２】
2019014068.tif 000004
【図３】
2019014068.tif 000005
【図４】
2019014068.tif 000006
【図５】
2019014068.tif 000007